(57)【要約】【課題】各種施設などの複数の場所で、空間光によるＩＤ情報の伝送に基づき、携帯端末を通して利用者に必要なコンテンツを簡便に提供し得るコンテンツ提供システムの提供。【解決手段】空間光送信器１は固定位置からＩＤ情報を重畳した空間光を投光する。利用者は、空間光受信器３０を接続した携帯端末４０を携帯して空間光送信器１の近傍に移動したとき、空間光受信器３０が受光部３１で空間光を受光する。空間光受信器３０は、受光部３１の受光信号からＩＤ情報を復調して取得し、ＩＤ情報を携帯端末４０に出力する。携帯端末４０はＩＤ情報に基づき選択されたコンテンツを再生する。【選択図】図１
2014027643.tif 000002
【特許請求の範囲】
【請求項１】
自身のＩＤ情報を記憶するＩＤ情報記憶部を有し、該ＩＤ情報を重畳した空間光を投光する投光部を設けた空間光送信器と、
コンテンツ情報を該ＩＤ情報に対応して記憶するコンテンツ記憶手段を有し、該コンテンツ記憶手段から読み出したコンテンツを、テキスト、画像、動画または音声として再生するコンテンツ再生手段を設けた携帯端末と、
該携帯端末に接続され、該空間光送信器の該投光部から投光された空間光を受光する受光部を有した空間光受信器と、を備え、
該受光部の受光信号から空間光に重畳して送信されたＩＤ情報を取得するＩＤ情報取得手段が該空間光受信器または該携帯端末に設けられ、
該空間光受信器の受光部は、利用者が該携帯端末を携帯して該空間光送信器の近傍に移動したとき、該空間光送信器から投光される空間光を受光し、該ＩＤ情報取得手段が該受光部の受光信号から空間光に重畳されるＩＤ情報を取得し、該携帯端末のコンテンツ再生手段が、該ＩＤ情報に基づき選択されたコンテンツを再生することを特徴とする、空間光伝送を使用するコンテンツ提供システム。
【請求項２】
前記コンテンツ情報は、前記ＩＤ情報に対応してネットワーク上のコンテンツサーバに記憶され、前記携帯端末は、該コンテンツサーバにアクセスしてコンテンツ情報を収集し、該コンテンツ情報をＩＤ情報に対応して前記コンテンツ記憶手段に記憶することを特徴とする請求項１記載の空間光伝送を使用するコンテンツ提供システム。
【請求項３】
前記コンテンツ情報は、前記携帯端末上で動作するアプリケーションソフトウエアの起動情報等の制御情報として、ネットワーク上の前記コンテンツサーバに、前記ＩＤ情報に対応して記憶することを特徴とする請求項１記載の空間光伝送を使用するコンテンツ提供システム。
【請求項４】
前記コンテンツ情報はコンテンツ参照情報ＵＲＬであり、ネットワーク上の前記コンテンツサーバに、前記ＩＤ情報に対応して記憶され、前記携帯端末は、該ＩＤ情報に応じて該コンテンツサーバから該コンテンツ参照情報ＵＲＬを取得し、該コンテンツ参照情報ＵＲＬに基づき、ネットワーク上の被参照サーバにアクセスして、該被参照サーバからコンテンツ情報本体を収集することを特徴とする請求項２記載の空間光伝送を使用するコンテンツ提供システム。
【請求項５】
前記空間光受信器にＵＳＢポートが設けられ、前記携帯端末に対し該空間光受信器はＵＳＢ接続され、該空間光受信器に設けられたＩＤ情報取得手段が前記空間光送信器から空間光に重畳して送信されたＩＤ情報を受信し取得したとき、該ＵＳＢポートを通して該携帯端末にＩＤ情報を出力することを特徴とする請求項１記載の空間光伝送を使用するコンテンツ提供システム。
【請求項６】
前記空間光受信器には、前記受光部の受光信号を入力する受光回路及び該受光回路からの受光信号を出力する出力端子が設けられ、該空間光受信器の該出力端子が前記携帯端末のマイク入力端子に接続され、該携帯端末に設けた前記ＩＤ情報取得手段が、該マイク入力端子を通してＩＤ情報を含む該受光信号を入力し、該受光信号から該ＩＤ情報を抽出して取得することを特徴とする請求項１記載の空間光伝送を使用するコンテンツ提供システム。
【請求項７】
前記空間光送信器は、本体ケースの先端部に、投光素子から空間光を投光する投光部を設けて構成され、該本体ケース内に、該投光素子を投光動作させる投光駆動回路と、該空間光送信器或いはその設置場所のＩＤ情報を予め記憶するＩＤ情報記憶部と、少なくとも該ＩＤ情報を含む情報信号により、搬送波を変調して伝送信号を生成し、該投光駆動回路に出力する伝送信号生成部と、電源入力部として電球の口金部を通して供給される電力を入力し、直流電力を該投光駆動回路、該伝送信号生成部に供給する電源回路と、が配設され、該電源入力部として該本体ケースの端部に該電球の口金部が取り付けられることを特徴とする請求項１記載の空間光伝送を使用するコンテンツ提供システム。
【請求項８】
前記伝送信号生成部は、搬送波の高周波信号を発振する搬送波発振器と、ＩＤ情報を含む情報信号により、搬送波を変調する変調部と、を備えたことを特徴とする請求項１記載の空間光伝送を使用するコンテンツ提供システム。
【請求項９】
前記空間光受信器は、前記携帯端末内に内蔵されることを特徴とする請求項１記載の空間光伝送を使用するコンテンツ提供システム。
【請求項１０】
前記空間光送信器は、液晶パネルに光素子光源を設けた液晶ディスプレイ装置内に内蔵され、該液晶ディスプレイ装置の該光素子光源が該空間光送信器の該投光器の投光素子として使用され、該光素子光源の投光駆動回路に、自身のＩＤ情報を記憶したＩＤ情報記憶部から読み出したＩＤ情報を変調した伝送信号を供給し、該光素子光源から照射される可視光に該伝送信号を重畳して投光することを特徴とする請求項１記載の空間光伝送を使用するコンテンツ提供システム。
【発明の詳細な説明】
【技術分野】
【０００１】
本発明は、公共施設などで利用者にコンテンツを提供する際に使用されるコンテンツ提供システムに関し、特に、空間光に重畳してＩＤ情報（識別情報）を伝送し、ＩＤ情報に基づき選択したコンテンツを利用者に提供する、空間光伝送を使用するコンテンツ提供システムに関する。
【背景技術】
【０００２】
例えば、公共施設などの来場者に、施設の案内、展示物の説明、各施設の誘導などの音声案内を、赤外線通信により提供する装置として、下記特許文献１に記載されるような音声案内装置が提案されている。
【０００３】
この従来の音声案内装置は、音声信号を記録するレコーダ部、レコーダ部から再生した音声信号をＦＭ変調するＦＭ送信回路、ＦＭ送信回路から出力される送信信号を赤外線に重畳して赤外線を放射する赤外線発光部を備え、施設の各展示場所などの各エリアに設置される。
【０００４】
また、各音声案内装置には、人を検知する赤外線センサが設けられ、施設に来場した来場者は、赤外線ＦＭ受信器を持って音声案内を受信するように構成される。赤外線ＦＭ受信器を持った来場者がその音声案内装置の付近に近寄ったとき、赤外線センサによりその来場者を検知し、音声案内装置から音声案内を赤外線に重畳してＦＭ受信器に送信し、ＦＭ受信器を通して来場者が音声案内を聞くように使用する。
【先行技術文献】
【特許文献】
【０００５】
【特許文献１】特開平１１−２４６１９号公報
【発明の概要】
【発明が解決しようとする課題】
【０００６】
しかしながら、上記の従来の音声案内装置は、例えば、例えば体育館、公会堂、博物館、美術館など、各種の施設における各々の複数場所に設置する場合、各施設における各々の設置場所ごとに、音声案内が異なるため、それらの音声案内データを記録したレコード部を作成し、各設置場所用の音声案内装置に記憶させる必要があり、さらに、それらの個別の音声案内装置を、各々の設置場所に取り付ける施工工事を行なう必要があり、その設置のための施工工事に手間や時間がかかる課題があった。
【０００７】
また、例えば、博物館や美術館の音声案内装置の場合、各展示品ごとに、音声案内装置が設置され、それらの音声案内装置は、展示品が変わるごとに、その音声案内を変更する必要があるが、やはり上記と同様に、変更した音声案内データを各音声案内装置に記憶させる必要があり、そのための作業に手間と時間がかかる課題があった。
【０００８】
本発明は、上述の課題を解決するものであり、各種施設などの複数の場所で、空間光によるＩＤ情報の伝送に基づき、携帯端末を通して利用者に必要なコンテンツを簡便に提供することができる、空間光伝送を使用するコンテンツ提供システムを提供することを目的とする。
【課題を解決するための手段】
【０００９】
上記目的を達成するために、本発明の空間光伝送を使用するコンテンツ提供システムは、
自身のＩＤ情報を記憶するＩＤ情報記憶部を有し、該ＩＤ情報を重畳した空間光を投光する投光部を設けた空間光送信器と、
コンテンツ情報を該ＩＤ情報に対応して記憶するコンテンツ記憶手段を有し、該コンテンツ記憶手段から読み出したコンテンツを、テキスト、画像、動画または音声として再生するコンテンツ再生手段を設けた携帯端末と、
該携帯端末に接続され、該空間光送信器の該投光部から投光された空間光を受光する受光部を有した空間光受信器と、を備え、
該受光部の受光信号から空間光に重畳して送信されたＩＤ情報を取得するＩＤ情報取得手段が該空間光受信器または該携帯端末に設けられ、
該空間光受信器の受光部は、利用者が該携帯端末を携帯して該空間光送信器の近傍に移動したとき、該空間光送信器から投光される空間光を受光し、該ＩＤ情報取得手段が該受光部の受光信号から空間光に重畳されるＩＤ情報を取得し、該携帯端末のコンテンツ再生手段が、該ＩＤ情報に基づき選択されたコンテンツを再生する、空間光伝送を使用することを特徴とする。
【００１０】
ここで、空間光とは、可視光、赤外光（赤外線）、及び紫外光（紫外線）を含めた概念である。
【００１１】
また、上記コンテンツ情報とは、テキスト、音声、動画等のコンテンツ情報本体、またはアプリケーションソフトウエア情報本体、アプリケーションソフトウエアの起動情報等の制御情報、及び、テキスト、音声、動画、またはアプリケーションソフトウエアを提供する被参照サーバのコンテンツ参照情報ＵＲＬを含む概念である。
【００１２】
また、上記コンテンツ記憶手段が記憶するコンテンツ情報の記憶形態は、そのコンテンツ情報がコンテンツ参照情報ＵＲＬの場合のように、被参照サーバにアクセスする際に一時記憶する記憶状態、及び表示等の再生のためにコンテンツ情報本体を一時記憶する記憶形態を含む概念である。
【００１３】
この発明によれば、例えば美術館のような広い施設内に多数の展示物が配置され、それらの展示物についての解説コンテンツを利用者に提供する場合、携帯端末を携帯する利用者が、各展示物に接近したとき、空間光に重畳されて送信されるＩＤ情報に基づき当該展示物の解説コンテンツが選択されて再生されるため、各展示物の解説コンテンツ等を自動的に、携帯端末を通して利用者に提供することができる。また、空間光により空間光送信器から各携帯端末の空間光受信器に伝送する情報はＩＤ情報のみとすることができるため、コンテンツ情報をそのまま伝送する場合に比して、空間光送信器、空間光受信器ともに回路構成を簡単化して小型化することができ、しかも伝送時の雑音等の影響を受けにくく、適正なコンテンツを迅速に提供することができる。
【００１４】
また、各展示物等の近傍には、簡単な構成の空間光送信器（各空間光送信器にはＩＤ情報のみを記憶すればよい）を設置し、投光部から空間光によりそのＩＤ情報を送信すればよいため、多数の空間光送信器を必要な箇所に非常に簡単に設置することができる。さらに、展示物等を変更する場合、ＩＤ情報に対応するコンテンツを変更するのみで、簡便に対応することができる。
【００１５】
ここで、上記コンテンツ情報は、上記ＩＤ情報に対応してネットワーク上のコンテンツサーバに記憶され、上記携帯端末は、該コンテンツサーバにアクセスして該コンテンツ情報を収集し、該コンテンツ情報をＩＤ情報に対応して上記コンテンツ記憶手段に記憶するように構成することができる。
【００１６】
これによれば、例えば、美術館などで展示物が変わり、解説コンテンツが変更される場合、管理用コンピュータなどを使用して、ネットワーク上のコンテンツサーバにアクセスし、ＩＤ情報に対応したコンテンツをアップロードして変更することができ、コンテンツの変更時、携帯端末はコンテンツサーバにアクセスし、変更後のコンテンツをダウンロードしてコンテンツ記憶手段に取り込み、変更されたコンテンツを容易に利用者に提供することができる。
【００１７】
また、ＩＤ情報に対応したコンテンツ情報が、例えば商品の広告用（デモ用）のアプリケーションソフトウエアであってコンテンツサーバに記憶される場合、携帯端末はＩＤ情報を取得したとき、ネットワーク上のコンテンツサーバにアクセスして、その広告用のアプリケーションソフトをダウンロードし、広告用のビデオ映像などを携帯端末上で自動的に再生することができる。
【００１８】
さらに、上記コンテンツ情報は、携帯端末上で動作するアプリケーションソフトウエアの起動情報等の制御情報として、ネットワーク上のコンテンツサーバに、上記ＩＤ情報に対応して記憶することができる。この場合、携帯端末は、そのＩＤ情報に基づき、コンテンツサーバから制御情報を取得し、その制御情報に基づき携帯端末内で動作するアプリケーションソフトウエアの起動等の制御を行なうこととなる。
【００１９】
例えばＩＤ情報に対応したアプリケーションソフトの制御情報が特定の相手に電話をかけるための電話帳ソフトの起動情報の場合、携帯端末は、ＩＤ情報を取得したとき、そのＩＤ情報に基づき、コンテンツサーバから電話用アプリケーションソフトの起動情報を得て電話帳ソフトを自動的に起動し、特定の相手に電話をかけることができる。また、例えばＩＤ情報に対応したアプリケーションソフトの制御情報が店舗位置などを表示する地図表示用ソフトの起動情報の起動情報の場合、携帯端末は、ＩＤ情報を取得したとき、そのＩＤ情報に基づき、コンテンツサーバから地図表示用アプリケーションソフトの起動情報を得て地図表示用ソフトを自動的に起動し、店舗位置などを表示することができる。
【００２０】
さらに、上記コンテンツ情報は、コンテンツ参照情報ＵＲＬとして、ネットワーク上のコンテンツサーバに、上記ＩＤ情報に対応して記憶することができる。この場合、携帯端末は、そのＩＤ情報に応じてコンテンツサーバからコンテンツ参照情報ＵＲＬを取得し、コンテンツ参照情報ＵＲＬに基づき、ネットワーク上の別の被参照サーバにアクセスして、被参照サーバから例えば画像や動画などのコンテンツ情報本体を収集し、再生することができる。
【００２１】
また、上記空間光受信器にＵＳＢ（Universal  Serial  Bus）ポートを設け、上記携帯端末に対し空間光受信器をＵＳＢ接続し、空間光受信器のID情報取得手段が空間光送信器から空間光に重畳して送信されたＩＤ情報を受信したとき、ＵＳＢポートを通して携帯端末にＩＤ情報を出力するように構成することができる。
【００２２】
これによれば、空間光受信器は携帯端末に対し簡単にUSB接続することができ、USBコネクタを有した既存の携帯端末をハード的にはそのまま簡便に使用することができる。
【００２３】
さらに、他の実施形態として、空間光受信器には、受光部の受光信号を入力する受光回路及び受光回路からの受光信号を出力する出力端子を設けることができる。この場合、空間光受信器は、その出力端子を携帯端末のマイク入力端子に接続して使用し、携帯端末に設けたＩＤ情報取得手段が、空間光に重畳して送信されたＩＤ情報を含む受光信号を、マイク入力端子を通して取り込み、その受光信号からＩＤ情報を抽出し取得する。これによれば、空間光受信器の構成を、受光部と受光回路のみとし、空間光受信器を非常に小型化することができ、ＩＤ情報取得手段は携帯端末にインストールされるソフトウエアから構成することができる。
【００２４】
さらに、上記空間光送信器は、本体ケースの先端部に、投光素子から空間光を投光する投光部を設けて構成され、本体ケース内に、投光素子を投光動作させる投光駆動回路と、空間光送信器或いはその設置場所のＩＤ情報を予め記憶するＩＤ情報記憶部と、少なくともＩＤ情報を含む情報信号により、搬送波を変調して伝送信号を生成し、投光駆動回路に出力する伝送信号生成部と、電源入力部として電球の口金部を通して供給される電力を入力し、直流電力を投光駆動回路、伝送信号生成部に供給する電源回路と、を配設し、電源入力部として本体ケースの端部に電球の口金部を取り付けて構成することができる。
【００２５】
この発明によれば、各種案内などのコンテンツを提供する公共施設等の必要な箇所に、電球ソケットを照明用と兼用して設置する簡単な工事を行なうのみで、それらの電球ソケットに空間光送信器の口金部をねじ込むことにより、非常に簡便に多数の空間光送信器を設置し且つ電源接続することができる。
【００２６】
さらに、上記伝送信号生成部は、搬送波の高周波信号を発振する搬送波発振器と、ＩＤ情報を含む情報信号により、搬送波を変調する変調部と、を備えて構成することができる。これによれば、ＩＤ情報を含む情報信号により、搬送波を変調して、伝送信号を生成し、伝送信号を空間光に重畳して伝送することができる。
【００２７】
また、上記空間光受信器は、上記携帯端末内に内蔵することができる。これによれば、空間光受信器が携帯端末の外側に突き出ることがなく、空間光受信器を携帯端末と一体化させることができる。
【００２８】
また、上記空間光送信器は、液晶パネルに光素子光源を設けた液晶ディスプレイ装置内に内蔵され、液晶ディスプレイ装置の光素子光源を空間光送信器の投光器の投光素子として使用することができる。この場合、光素子光源の投光駆動回路に、自身のＩＤ情報を記憶したＩＤ情報記憶部から読み出したＩＤ情報を変調した伝送信号を供給し、光素子光源から照射される可視光に伝送信号を重畳して投光する。なお、上記光素子光源としては、バックライトとして白色光を照射するＬＥＤ或いは有機ＥＬ等を使用することができる。
【００２９】
この発明によれば、例えばイベント会場などで、各種の画像、テキスト、動画などを表示するために設置した液晶ディスプレイ装置において、その液晶パネルの光素子光源から、ＩＤ情報を重畳して可視光が照射されるので、空間光送信器を別個に設置する必要がなく、利用者は携帯端末を液晶ディスプレイ装置の前で翳せば、ＩＤ情報が空間光受信器を通して携帯端末に取り込まれ、そのＩＤ情報に応じて、商品説明、解説動画などのコンテンツを利用者に提供することができる。
【発明の効果】
【００３０】
本発明の空間光伝送を使用するコンテンツ提供システムによれば、各種施設などの複数の場所で、空間光によるＩＤ情報の伝送に基づき、携帯端末を通して利用者に、必要なコンテンツを簡便に提供することができる。
【図面の簡単な説明】
【００３１】
【図１】本発明の一実施形態を示すコンテンツ提供システムの構成図である。
【図２】コンテンツ提供システムで使用する空間光送信器の正面図である。
【図３】同空間光送信器の斜め上から見た斜視図（ａ）、斜め下から見た斜視図（ｂ）である。
【図４】同空間光送信器の分解斜視図である。
【図５】同空間光送信器の縦断面図である。
【図６】同空間光送信器の回路の構成ブロック図である。
【図７】データフレームの構成図である。
【図８】空間光受信器の構成ブロック図である。
【図９】コンテンツ提供システムの携帯端末のネットワーク構成図である。
【図１０】携帯端末の構成ブロック図である。
【図１１】他の実施形態のコンテンツ提供システムの構成図である。
【図１２】他の実施形態の空間光受信器の構成ブロック図である。
【図１３】他の実施形態の空間光送信器の構成ブロック図である。
【発明を実施するための形態】
【００３２】
以下、本発明を図面に示す実施形態に基づいて説明する。このコンテンツ提供システムは、例えば美術館、博物館などにおいて、展示物の解説を行なう解説コンテンツなどを、携帯端末４０を通して利用者に提供するシステムであり、図１に示すように、複数の場所に取り付けられ、自身のＩＤ情報（識別情報）を記憶するＩＤ情報記憶部８を有し、ＩＤ情報を重畳した空間光を投光する投光部２を設けた空間光送信器１と、複数のコンテンツ情報をＩＤ情報に対応して記憶するコンテンツ記憶手段を有し、コンテンツ記憶手段から読み出したコンテンツを、テキスト、画像、動画或いは音声として再生するコンテンツ再生手段を設けた携帯端末４０と、携帯端末４０に接続され、空間光送信器１の投光部２から投光された空間光を受光する受光部３１を有し、受光部３１の受光信号から空間光に重畳して送信されたＩＤ情報を復調して取得するＩＤ情報取得手段を設けた空間光受信器３０と、を備えて構成される。
【００３３】
このコンテンツ提供システムは、利用者が携帯端末４０を携帯して、例えば各展示物の上方等に取り付けられた空間光送信器１の近傍に移動したとき、空間光受信器３０の受光部３１が、空間光送信器１から投光される空間光を受光する。空間光受信器３０のＩＤ情報取得手段が、受光部３１の受光信号から空間光に重畳されるＩＤ情報を復調して取得し、ＩＤ情報を携帯端末４０に送出する。携帯端末４０のコンテンツ再生手段は、入力されたＩＤ情報に基づき選択されたコンテンツを再生する。
【００３４】
空間光を投光して空間光伝送を行なう空間光送信器１は、図２〜図５に示すように、その本体ケース１ａが、先端に投光部２を設けた電球型に形成され、空間光伝送としての可視光通信に必要な回路を本体ケース１ａ内に収納している。この空間光送信器１は、例えば美術館、博物館等の各展示物の近傍、つまり解説コンテンツを利用者に提供する場所に設置されるが、設置のための施工工事を簡単化し、且つ照明器具と兼用して、空間光送信器１を目障りや違和感なく簡単に設置できるように、電球型となっている。
【００３５】
空間光送信器１は、電球型に形成された本体ケース１ａを有しており、本体ケース１ａの先端部に投光素子３から空間光を投光する投光部２が設けられ、末端部に口金部１２が取付部兼電源入力部として設けられる。これにより、空間光送信器１は、施設内などの設置場所、例えば解説コンテンツ（音声ガイド）を提供する場所に設けられ、交流電源に接続された電球用ソケットに、口金部１２を介して簡単に取り付けられる構造となっている。
【００３６】
投光部２の投光素子３には、例えば白色光を投光する可視光発光ダイオードが使用され、図５に示すように、椀状の反射器１９の中央にそのＬＥＤモジュールが取り付けられ、投光部２の前面が透明板により覆われ、後述の如く、ＩＤ情報及び型式情報等の任意情報を含む伝送信号を重畳した可視光を前方に照射する。投光部２の投光素子３から照射される可視光は、例えば１０〜２０度の角度範囲で上方から展示物近傍に向けて投光されるようになっている。
【００３７】
なお、投光素子３には、例えば白色発光ダイオードが用いられ、装置としては可視光通信の空間光送信器を構成するが、赤外線（近赤外光）を発光する赤外線発光ダイオードを使用することもできる。この場合、目に見えない近赤外光が投光され、空間光伝送の範疇に入ることになる。
【００３８】
本体ケース１ａは、円筒状に形成された上ケース１６とその下部に接続された下ケース１７とからなる。この例では、本体ケース１ａは上ケース１６と下ケース１７で分割されているが、一体に形成することもできる。
【００３９】
上ケース１６の上部には投光部２が固定され、上ケース１６内に、図６に示す如く、投光素子３を投光動作させる投光駆動回路５と、例えば２８．８ｋＨｚの副搬送波を発振し出力する副搬送波発振器６と、空間光送信器１のＩＤ情報を含む情報信号により、副搬送波を変調して伝送信号を生成し、投光駆動回路５に出力する伝送信号生成部７と、空間光送信器１のＩＤ情報を予め記憶するＩＤ情報記憶部８と、が収納される。なお、上記副搬送波を発振出力する副搬送波発振器６は、伝送媒体である光を主搬送波とする場合の称呼であり、単に搬送波を発振出力する搬送波発振器でもある。
【００４０】
下ケース１７内には上記回路の電源となる電源回路１１が収納される。電源回路１１は商用電源などの交流電源を、所定電圧の直流に変換するＡＣ／ＤＣ変換器から構成され、交流電源は、本体ケース１ａの末端部に配した口金部１２から供給される。ＡＣ／ＤＣ変換器は、スイッチングインバータ回路が使用され、小形の回路で商用電源の交流を例えばＤＣ１２Ｖの直流に変換可能である。
【００４１】
口金部１２は、ねじ部としてのシェル部１３と、シェル部１３の下側中央に絶縁体１５を介して取り付けられたアイレット部１４とから構成される。アイレット部１４には電源回路１１の一方の入力端子が内側で接続され、シェル部１３には他方の入力端子が内側で接続される。このような口金部１２は、Ｅ１７、Ｅ１８，Ｅ２６等の規格化された口金部として形成され、所定の電球用ソケットにねじ込み、簡単に取り付けを行うことができるようになっている。なお、取付部兼電源入力部としての口金部１２は、ねじ式のシェル部１３を有しているが、ねじ式シェル部以外の例えば円筒型の取付接続部材であってもよい。
【００４２】
上記伝送信号生成部７及びＩＤ情報記憶部８は、ワンチップ型のマイクロコンピュータ１０から構成され、予めメモリに記憶されたプログラムデータに基づき、上記副搬送波信号を、空間光送信器１のＩＤ情報により、例えば４値ＰＰＭ変調（パルスポジション変調）にて変調し、変調された送信伝送信号を、投光駆動回路５に出力するように構成される。ワンチップ型のマイクロコンピュータ１０、副搬送波発振器６、及び投光駆動回路５は、図５のように、本体ケース１ａ内の回路基板１８に実装される。
【００４３】
ＩＤ情報記憶部８は、コンテンツ提供システムで使用される各々の空間光送信器１のＩＤ情報（識別番号）を記憶する記憶部であり、各々の空間光送信器１が設置される場所を特定するＩＤ情報を書き込む記憶部でもある。ＩＤ情報記憶部８には、ＩＤ情報とともに、任意の追加情報を記憶することもできる。
【００４４】
マイクロコンピュータ１０の伝送信号生成部７は、図７に示すように、データフレームを作成し、プリアンブルとフレームタイプからなるスタートフレームに続き、ペイロードとして例えばＩＤ情報と型式情報のデータを配し、エンドフレームとしてチェック用にＣＲＣ（周期冗長コード）を配するように、伝送信号のデータフレームを生成する。
【００４５】
さらに、伝送信号生成部７は、副搬送波発振器６から入力する副搬送波を、上記データフレームのデータ、つまり機器のＩＤ情報等を含むデータにより４値ＰＰＭ変調して、情報伝送信号を出力するように構成される。４値ＰＰＭの変調回路は、伝送するデータを２ビット単位に区切り、例えば「００」を「１０００」、「０１」を「０１００」、「１０」を「００１０」、「１１」を「０００１」とするように、４個の２ビットデータに応じて、符号の位置を特定するパルスを発生させ、副搬送波をそのデータパルスで変調するように動作する。これにより、データに拘わらず一定の照度の可視光を照射するようになっている。
【００４６】
なお、伝送信号生成部７では、副搬送波を情報伝送信号により４値ＰＰＭ変調し、伝送信号を生成しているが、ＡＳＫ変調、ＦＳＫ変調、或いはＰＳＫ変調等を行なって、伝送信号を生成することもでき、若しくは搬送波の変調なしに、ベースバンド方式で情報伝送信号をパルス化し、パルス化した伝送信号を空間光に重畳して伝送することもできる。
【００４７】
投光駆動回路５は、マイクロコンピュータ１０の伝送信号生成部７から送られる変調された情報伝送信号を入力し、投光部２の投光素子３を駆動して可視光を投光すると共に、情報伝送信号をその可視光に重畳させるように構成される。
【００４８】
一方、空間光受信器３０は、利用者が携帯する携帯端末４０に接続して使用され、接続形態はＵＳＢ接続である。図８に示すように、空間光受信器３０はＵＳＢデバイス機器として携帯端末４０のＵＳＢ端子に接続され、携帯端末４０がＵＳＢホスト機器として、電源が携帯端末４０から空間光受信器３０に供給される。また、図８に示す如く、空間光受信器３０には、携帯端末４０が接続されるＵＳＢポート３９が設けられ、ＵＳＢ接続を制御するＵＳＢコントローラ３８が設けられる。
【００４９】
ＵＳＢコントローラ３８は、ＵＳＢポート３９が携帯端末４０のＵＳＢ端子に直接或いはＵＳＢケーブルを介して接続され、電源が供給されたとき、シリアルデータインターフェースとして機能し、空間光受信器３０の記憶部３６に記憶されるＩＤ情報を読み出し、ＵＳＢプロトコルにしたがって、ＩＤ情報を携帯端末４０に出力する。なお、空間光受信器３０をＵＳＢホスト機器として構成し、ＵＳＢデバイス機器となる携帯端末に電源を供給する構成とすれば、ＵＳＢデバイス機能のみを有する携帯端末に対してＵＳＢ接続を行なってＩＤ情報を携帯端末に出力することもできる。
【００５０】
図８に示す空間光受信器３０の受光部３１は、可視光を受光して受光信号を出力するフォトダイオード等の受光素子３２を備え、空間光送信器１の投光部２から投光される可視光を受光し受光信号を出力する。空間光送信器１の投光素子３に、赤外線（近赤外光）を発光する赤外線発光ダイオードが使用される場合、空間光としての赤外線を受光する赤外線用フォトダイオードが受光素子３２として使用される。
【００５１】
受光部３１には受光回路３３が接続され、受光回路３３は、受光素子３２から出力される微弱な受光信号をアンプで増幅した後、コンパレータを通して、復調に必要なレベルのパルス信号に変換し、波形整形回路を通して波形整形した後、マイクロコンピュータ３７の復調部３４に出力するように構成される。
【００５２】
復調部３４、デジタル処理部３５、及び記憶部３６は、ワンチップ型のマイクロコンピュータ３７から構成され、マイクロコンピュータ３７は、取り込まれたパルス信号を復調部３４で、ＰＰＭ変調された伝送信号の復調を行い、４値のパルスの位置に基づき、伝送信号をデジタル信号に変換し、空間光送信器１から送信されたＩＤ情報を取得するようになっている。空間光受信器３０の上記ＩＤ情報取得手段は、このような受光回路３３、復調部３４、及びデジタル処理部３５から構成される。
【００５３】
なお、空間光送信器１の伝送信号生成部７でＰＰＭ変調以外の例えばＡＳＫ変調、ＦＳＫ変調、ＰＳＫ変調などを行なっている場合、復調部３４は、ＡＳＫ変調、ＦＳＫ変調、ＰＳＫ変調などに対応した復調を行なうこととなる。
【００５４】
空間光受信器３０には、ＵＳＢポート３９の接続部となるＵＳＢコネクタ部が、例えば外部に突出する形態で設けられ、空間光受信器３０はそのＵＳＢコネクタ部を、携帯端末４０に設けたＵＳＢポート４５のＵＳＢ端子に差し込み、或いはＵＳＢケーブルを介して接続される。空間光受信器３０は、受光部３１及びマイクロコンピュータ３７を含めて、例えばＵＳＢスティックメモリ程度の大きさ、つまり携帯端末４０の大きさより遥かに小形に形成することができる。このため、空間光受信器３０は、携帯端末４０のＵＳＢ端子に、そのＵＳＢコネクタ部を直接差し込んだ状態で使用することができる。なお、空間光受信器３０は、物理的には、携帯端末４０のケースに内蔵することも可能である。
【００５５】
携帯端末４０は、無線ＬＡＮに接続可能なＰＤＡ、タブレット型端末、或いは携帯電話通信網や無線ＬＡＮに接続可能な携帯電話機から構成され、図９に示す如く、無線ＬＡＮ４３を通してインターネット等のネットワークに接続される。また、携帯端末４０は、図１０に示すように、マイクロコンピュータからなるプロセッサ４８を主要部として構成され、例えば各種機能スイッチ入力用のタッチ入力が可能で、且つ動画、静止画、テキスト等を表示するタッチ感知ディスプレイ５７、タッチ感知ディスプレイ５７の制御を行なうディスプレイコントローラ５６、ＵＳＢ接続が可能なＵＳＢポート４５及びＵＳＢコントローラ４４を備える。さらに、携帯端末４０は、無線ＬＡＮに或いは携帯電話通信網に接続するためのＲＦ回路５４を備え、周辺インターフェイス５３及びＲＦ回路５４を通して、無線ＬＡＮに或いは携帯電話通信網に接続可能である。
【００５６】
また、携帯端末４０の記憶部５０には、ブラウザソフト、音声再生ソフトなどが予め記憶され、携帯端末４０はネットワークを通して取り込んだテキスト、画像、動画、或いは音声を再生することができる。さらに、携帯端末４０は、アプリケーションソフトウエアとして、ネットワーク上のコンテンツサーバ４２からダウンロードした、上記ＩＤ情報に対応した複数のコンテンツを、上記コンテンツ記憶手段としての記憶部５０に記憶するようになっている。さらに、図１０に示す如く、携帯端末４０には、コンテンツの音声信号を再生するためのオーディオ回路４６及びディスプレイ５７が上記コンテンツ再生手段として設けられ、オーディオ回路４６の出力側には、スピーカー５２が接続され、入力側にはマイク５１が接続される。
【００５７】
携帯端末４０のプロセッサ４８は、空間光受信器３０から送出されたＩＤ情報を、ＵＳＢポート４５を通して取り込み、そのＩＤ情報に対応した記憶部５０内のコンテンツ情報を選択して読み出し、そのコンテンツ情報の音声はオーディオ回路４６を通してスピーカー５２から再生し、コンテンツのテキスト、画像、或いは動画はディスプレイコントローラ５６を通してディスプレイ５７で表示するようになっている。なお、携帯端末４０側では、ＵＳＢポート４５に空間光受信器３０が接続されたとき、その接続を検知して、プラグアンドプレイで、コンテンツ提供用のソフトウエアを自動的に起動する構成とすることができる。
【００５８】
図１０に示す携帯端末４０のＲＦ（Radio Frequency）回路５４は、アンテナシステムやチューナーを含み、ＲＦ信号を送信或いは受信し、インターネット等に接続される無線ＬＡＮのアクセスポイント或いは携帯電話通信網の基地局との間で、電波による通信を行う。
【００５９】
図９に示す如く、携帯端末４０は、無線ＬＡＮ４３或いは携帯電話通信網を介してインターネットなどのネットワークに接続し、画像、動画、テキスト或いは音声情報など、各種情報の送信或いは受信を行う。ネットワーク上にはコンテンツサーバ４２及び管理用コンピュータ４１が設置され、コンテンツサーバ４２には、管理用コンピュータ４１の操作により、本システムで取り扱うコンテンツ情報、例えば美術館の各展示物の解説コンテンツ情報が、上記ＩＤ情報に対応して格納される。
【００６０】
この場合、管理者は、管理用コンピュータ４１を使用して、予め作成した解説コンテンツ情報をコンテンツサーバ４２にアップロードし、コンテンツサーバ４２の不揮発性メモリに、コンテンツ情報を上記ＩＤ情報に対応して格納する。そして、携帯端末４０からそれらの解説コンテンツをダウンロードするためのアクセスがあったとき、コンテンツサーバ４２はそのＩＤ情報に対応したコンテンツ情報を読み出し、携帯端末４０に配信するように構成される。
【００６１】
上記構成のコンテンツ提供システムの空間光送信器１は、例えば美術館、博物館などにおいて、展示物の解説コンテンツ（音声ガイド）を提供するために使用する場合、その施設等における展示物の近傍など、利用者に解説コンテンツ（音声ガイド）を提供する場所に設置される。設置場所には、電球用ソケットが例えば下向きに設けられ、空間光送信器１は、その電球用ソケットに口金部１２をねじ込むことにより、その投光部２を下方に向けた状態で取り付けられる。各空間光送信器１には異なるＩＤ情報が割り当てられて設定され、各々の空間光送信器１のＩＤ情報記憶部８には、固有のＩＤ情報が記憶される。
【００６２】
展示物の上方付近には、通常、照明器具が配設され、その照明器具用の電球用ソケットが使用できる場合、空間光送信器１はその電球用ソケットに口金部１２をねじ込んで取り付けるのみの簡単な作業で、空間光送信器１を所定の場所に設置し、同時に電源接続を行うことができる。
【００６３】
これは、美術館、博物館のように、多数の展示物が広範囲にわたって設置されている場合、各展示物の近傍に空間光送信器１を設置する際に、特に有利であり、簡単に効率良く設置することができる。
【００６４】
例えば、美術館、博物館のように、展示物の解説用機器として携帯端末４０を利用者に貸し出して使用する場合、それらの携帯端末４０には、予め各ＩＤ情報（各展示物に対応するＩＤ）に対応して解説コンテンツ情報が取り込まれ、記憶部５０に記憶される。
【００６５】
これらのコンテンツ情報は、予めネットワーク上のコンテンツサーバ４２内にＩＤ情報とともに格納されており、展示開催の際、携帯端末４０を操作して、図９に示すネットワークを介してコンテンツサーバ４２にアクセスし、携帯端末４０にコンテンツ情報をダウンロードし、使用する。これにより、新たな展示会を美術館、博物館などで開催する場合、開始時に予めその解説用のコンテンツをダウンロードし、携帯端末４０の記憶部５０に格納しておけば、その展示会の開催中は、携帯端末４０をネットワークに接続することなく、そのまま使用することができる。
【００６６】
コンテンツ提供システムの各空間光送信器１は、例えば美術館などの施設が開館され、照明が点灯している間、その投光部２が投光動作して、展示物近傍のある程度の範囲内に、上方から下方に向けて投光部２から投光し、照明と兼用して空間光送信の投光を行なうことができる。空間光送信器１の送信時、伝送信号生成部７は、データフレームを作成し、データフレームは、図７のように、スタートフレームに続き、ペイロードのＩＤ情報及び任意の追加情報のデータをフレームに入れ、伝送信号が生成される。
【００６７】
さらに、伝送信号生成部７は、副搬送波発振器６から送られる副搬送波を、機器のＩＤ情報を含む上記データにより例えば４値ＰＰＭ変調して、情報伝送信号を出力する。伝送信号生成部７から出力された情報伝送信号は、投光駆動回路５に入力され、投光駆動回路５は、投光部２の投光素子３を駆動して空間光（例えば白色に近い可視光）を投光すると共に、情報伝送信号をその空間光に重畳させ、投光部２から下方に向けて投光する。
【００６８】
美術館、博物館などの利用者は、携帯端末４０を携帯して各展示物を見ながら移動し、各展示物近傍に移動したとき、携帯端末４０に接続された空間光受信器３０の受光部３１は、その展示物の近傍に設置される空間光送信器１の投光部２から、展示物に対し照明光として投光される、空間光を受光する。
【００６９】
このとき、空間光受信器３０の受光部３１の受光回路３３は、受光素子３２から出力される微弱な受光信号をアンプで増幅した後、コンパレータを通して、復調に必要なレベルのパルス信号に変換し、波形整形回路を通して波形整形した後、マイクロコンピュータ３７の復調部３４に出力する。
【００７０】
復調部３４は、ＰＰＭ変調された伝送信号の復調を行い、４値のパルスの位置に基づき、伝送信号をデジタル信号に変換し、空間光受信器３０は空間光送信器１から送信されたＩＤ情報を取得する。空間光受信器３０は取得したＩＤ情報を、記憶部３６に記憶すると共に、ＵＳＢコントローラ３８及びＵＳＢポート３９を通して、携帯端末４０に送出する。
【００７１】
携帯端末４０は、空間光受信器３０から空間光により送信されたＩＤ情報を入力すると、そのＩＤ情報に対応したコンテンツを、コンテンツ記憶手段である記憶部５０から読み出し、コンテンツの画像、動画等は端末のディスプレイ５７に表示し、その音声信号はオーディオ回路４６により再生して、イヤホン型スピーカーなどのスピーカー５２から音声を出力する。これにより、携帯端末４０の利用者は、展示物を見ながら、その展示物の解説（音声ガイド）を聞き、或いはディスプレイ５７に表示されたテキスト、画像などを見ることができる。
【００７２】
一方、展示の変更などにより、各展示物が変わり、それに対応した解説コンテンツが変更される場合、管理者は管理用コンピュータ４１を使用して、ネットワーク上のコンテンツサーバ４２にアクセスし、コンテンツサーバ４２に格納されるコンテンツ情報を、新たなコンテンツ情報に更新する操作を行なう。新たに格納されるコンテンツ情報は、上記と同様に、ＩＤ情報に対応してコンテンツサーバ４２の不揮発性メモリに格納される。
【００７３】
そして、変更された展示物の展示が開始されるとき、各携帯端末４０はコンテンツサーバ４２にアクセスし、コンテンツサーバ４２から変更されたコンテンツ情報をＩＤ情報とともに取り込み、記憶部５０に記憶して、コンテンツを更新する。利用者が携帯端末４０を使用して音声ガイドを利用する際には、上記と同様に、空間光送信器１の近傍に近づき、空間光受信器３０が空間光を受光して送信されたＩＤ情報を取得し、ＩＤ情報が空間光受信器３０から携帯端末４０に送られると、携帯端末４０はそのＩＤ情報に対応するコンテンツを記憶部５０から読み出し、コンテンツ画像等をディスプレイ５７に表示し、音声信号をオーディオ回路４６により再生処理して、スピーカー５２から音声を出力する。なお、携帯端末４０の使用方法によっては、携帯端末４０は、ＩＤ情報を入力したとき、ＩＤ情報を指定してコンテンツサーバ４２からダウンロードしたテキスト、画像、動画等のコンテンツを、そのまま再生することもできる。
【００７４】
また、他の実施形態として、コンテンツ情報は、ＩＤ情報に対応してネットワーク上のコンテンツサーバ４２に、アプリケーションソフトウエアの起動情報、設定変更情報等の制御情報として記憶することもできる。この場合、携帯端末４０は、ＩＤ情報に基づき、コンテンツサーバ４２から制御情報を取得し、制御情報に基づき携帯端末内で動作するアプリケーションソフトウエアの起動、設定変更等の制御を行なう。
【００７５】
例えば、携帯端末４０にアプリケーションソフトとして電話帳アプリケーションソフトが記憶される場合、ＩＤ情報がその起動情報として取り込まれたとき、電話帳アプリケーションソフトが起動し、設定された相手電話にダイヤルし呼び出す。或いは、そのアプリケーションソフトが地図アプリケーションソフトであって、その起動情報がＩＤ情報として取り込まれた場合、地図アプリケーションソフトが起動し、設定された地図が携帯端末４０の表示部に表示される。
【００７６】
一方、携帯端末４０が再生可能なコンテンツ情報として、例えば商品広告用のデモンストレーションソフトを利用者に提供する場合、コンテンツサーバ４２にその商品デモンストレーションソフトを格納しておき、携帯端末４０のアクセスに応じて、その商品デモンストレーションソフトをダウンロードさせ、ダウンロード時、直ちに携帯端末４０でコンテンツを再生するように使用することができる。
【００７７】
すなわち、例えば各種店舗、ブース、展示場などの特定の場所で、コンテンツ情報としての商品広告用のデモンストレーションビデオを、顧客の来店時に自動的に再生したい場合、特定の場所に設置した空間光送信器１からＩＤ情報を空間光に重畳して送信する。携帯端末４０を持った顧客が来店し、携帯端末４０に接続された空間光受信器３０が空間光に重畳して送信されたＩＤ情報を取得し、携帯端末４０にそのＩＤ情報が送られると、携帯端末４０は、無線ＬＡＮ４３或いは携帯電話通信網を通してコンテンツサーバ４２にアクセスし、ＩＤ情報に基づきコンテンツサーバ４２から商品広告用のデモンストレーションソフトをダウンロードし、そのテキスト、画像、動画、音声などを再生し表示する。
【００７８】
また、更に他の実施形態として、コンテンツ情報は、ＩＤ情報に対応してネットワーク上のコンテンツサーバ４２に、コンテンツ参照情報ＵＲＬとして記憶することもできる。この場合、携帯端末４０は、ＩＤ情報に基づき、コンテンツサーバ４２からコンテンツ参照情報ＵＲＬを取得し、そのコンテンツ参照情報ＵＲＬに基づき、ネットワーク上の別の被参照サーバにアクセスして、被参照サーバからコンテンツ情報本体を収集し、コンテンツ情報本体をＩＤ情報に対応して記憶部５０に一時記憶し、コンテンツを画面表示し或いは音声を再生する。
【００７９】
このように、ＩＤ情報に対応したコンテンツ情報がコンテンツ自体ではなく、コンテンツ参照情報ＵＲＬとなっている場合でも、携帯端末４０はＩＤ情報に基づき、コンテンツサーバ４２からそのコンテンツ参照情報ＵＲＬを入力すると、対応するＵＲＬの別の被参照サーバにアクセスし、被参照サーバ上にあるテキスト、画像、動画、アプリケーションソフトウエア等のコンテンツ情報本体を収集し、再生することができる。
【００８０】
このように、携帯端末４０は、空間光に重畳して送信されたＩＤ情報を空間光受信器３０が受信したとき、そのＩＤ情報をトリガとして、ＩＤ情報に応じて予め記憶部５０に記憶されたコンテンツ自体の再生、コンテンツサーバ４２へのアクセスによるコンテンツ情報の取り込み、ネットワーク上のＵＲＬの参照による被参照サーバへのアクセス機能、或いはＩＤ情報に応じたアプリケーションソフトウエアの起動やその連係機能を実行することができる。
【００８１】
さらに、空間光により空間光送信器１から各携帯端末４０の空間光受信器３０に伝送する情報は略ＩＤ情報のみであるため、コンテンツ情報をそのまま伝送する場合に比して、瞬時に伝送することができ、空間光送信器１、空間光受信器３０ともに回路構成も、簡単化して小型化することができる。しかも、伝送時の雑音等の影響を受けにくく、適正なコンテンツを迅速に提供することができる。
【００８２】
図１１は他の実施形態のコンテンツ提供システムの構成図を示し、図１２はそのシステムの空間光受信器６０及び携帯端末４０の構成図を示す。このコンテンツ提供システムのＩＤ情報取得手段は、携帯端末４０に設けられ、空間光受信器６０はＩＤ情報を含むアナログオーディオ信号を携帯端末４０に出力するように構成される。この空間光受信器６０は、図１２のように、空間光を受光する受光素子６２を有した受光部６１と、その受光信号を増幅する受光回路６３とから構成される。
【００８３】
受光素子６２は、可視光等の空間光を受光して受光信号を出力するフォトダイオード等からなり、空間光送信器１の投光部２から投光される空間光を受光し受光信号を受光回路６３に出力する。受光回路６３は、受光素子６２から出力される微弱な受光信号をアンプで増幅し、そのままアナログの受光信号（オーディオ信号）を出力端子６４から、携帯端末４０のマイク入力端子４９に出力する構成である。空間光受信器６０の出力端子６４と携帯端末４０のマイク入力端子４９間は汎用の接続ケーブルまたはマイク用プラグとコネクタにより接続される。なお、携帯端末４０のマイク入力端子４９がイヤホン端子と一体のコネクタ部として形成される場合には、そのコネクタ部のマイク入力端子のみを接続して使用することとなる。
【００８４】
図１２に示すように、携帯端末４０は、受光回路６３から送られる受光信号を、マイク入力端子４９から入力し、オーディオ回路４６で増幅した後、そのアナログ信号をサンプリング回路４７でサンプリングしてデジタル値に変換する。サンプリング回路４７は周辺インターフェイス５３内に設けられ、周辺インターフェイス５３には上記と同様、無線ＬＡＮ及び携帯電話通信網用のＲＦ回路５４が接続される。携帯端末４０のプロセッサ４８は、サンプリング回路４７でサンプリングしたデジタル値から、例えば４値ＰＰＭ信号を復調して、ＩＤ情報を取得する。なお、空間光送信器１の伝送信号生成部７において、ＰＰＭ変調以外の例えばＡＳＫ変調、ＦＳＫ変調、ＰＳＫ変調などを行なっている場合、ＣＰＵ４８は、ＡＳＫ変調、ＦＳＫ変調、ＰＳＫ変調などに対応した復調を行なう。
【００８５】
利用者がコンテンツ情報の提供のために、空間光受信器６０を接続した携帯端末４０が使用される際、空間光送信器１から送信された空間光を空間光受信器６０の受光部６１が受光すると、受光回路６３からその受光信号が出力される。その受光信号は、ＩＤ情報を含むアナログオーディオ信号であり、空間光受信器６０から携帯端末４０のマイク入力端子４９に入力される。携帯端末４０のプロセッサ４８は、ソフトウエアにより、入力されたＩＤ情報を含むアナログ信号を、所定の周期でサンプリングし、それをデジタル値に変換する。さらに、プロセッサ４８は、ソフトウエアにより、そのデジタル値である４値ＰＰＭ信号を復調し、ＩＤ情報を取得する。
【００８６】
このようなソフトウエアは、携帯端末４０の記憶部５０に、アプリケーションソフトとして予め記憶されており、携帯端末４０は、空間光受信器６０の接続時に、そのアプリケーションソフトを起動し、空間光受信器６０から入力したアナログオーディオ信号をサンプリングし、サンプリングにより得られた４値ＰＰＭ信号を復調し、ＩＤ情報を取得することができる。携帯端末４０は、得られたＩＤ情報に基づき、コンテンツ情報を選択し、再生する。
【００８７】
このように、マイク入力端子接続型の空間光受信器６０を使用することにより、携帯端末４０は、そのマイク入力端子４９を通して入力したＩＤ情報を含む受光信号から、プロセッサ４８がソフトウエアにより４値ＰＰＭ信号を復調してＩＤ情報を取得し、これにより、空間光受信器６０は、受光部６１と受光回路６３のみの非常に簡単な回路構成となり、ハードウエアとしての空間光受信器６０は極めて小型化することができる。
【００８８】
また、携帯端末４０には、マイク入力端子４９を備えた既存の携帯端末をそのまま使用することができ、小型で簡単な構成の空間光受信器６０を接続し、且つＩＤ情報の取得処理を行なうアプリケーションソフトウエアを携帯端末４０にインストールすれば、コンテンツ提供システムを簡便に製作することができる。また、受光部６１と受光回路６３からなる空間光受信器６０は小型に構成できるため、携帯端末４０に内蔵することも容易に可能となる。
【００８９】
なお、受光部６１の受光素子６２の受光時に、Ｓ／Ｎ比の良好な受光電圧信号が得られ、携帯端末４０側で受光信号からＩＤ情報を抽出可能であれば、受光信号を増幅するアンプは必ずしも必要ではない。したがって、ＩＤ情報を取得可能な程度に高いＳ／Ｎ比で、受光素子６２の受光電圧信号が得られる場合、受光回路６３は不要となり、例えば受光素子６２のアノードとカソードを直接マイク入力端子４９に接続しても、携帯端末４０のオーディオ回路４６は有効な受光信号を取り込むことができる。
【００９０】
また、例えば携帯端末４０のマイク入力端子４９が電源の不要なダイナミックマイク用の入力端子として構成され、携帯端末４０から直流電源を供給しない場合、空間光受信器６０は受光素子６２には、Ｓ／Ｎ比の良好な受光電圧信号を得られる受光素子を使用することが望ましい。この場合、空間光受信器６０の受光回路は外部から供給される直流電源を必要としない構成とし、受光素子６２の信号の起電力で受光回路６３を動作させて、有効なアナログ信号をマイク入力端子４９に入力する。或いは、空間光受信器は受光素子のみから構成し、その受光信号を直接携帯端末４０のマイク入力端子４９に入力することができる。
【００９１】
図１３は、さらに他の実施形態の空間光送信器２０を示している。上記図６に示す空間光送信器１の構成と同じ構成部分については、図１３に同じ符号を付して、その説明は省略する。この空間光送信器２０は、各種画像や動画を表示する液晶ディスプレイ装置２５内に内蔵される。
【００９２】
液晶ディスプレイ装置２５には、液晶パネル２４の背面側に、バックライトとなる光素子光源２３が配設され、このバックライトとしての光素子光源２３が空間光送信器２０の投光部として機能する。液晶ディスプレイ装置２５は、例えば各種イベント会場或いは公共施設等に設置され、来場した利用者に各種の情報等を表示するものである。光素子光源２３としては、白色光を照射する白色ＬＥＤ，有機ＥＬ素子等を使用することができる。
【００９３】
液晶ディスプレイ装置２５の光素子光源２３は、空間光送信器２０の投光駆動回路５の出力側に接続され、投光駆動回路５は、マイクロコンピュータ１０の伝送信号生成部７から送られる変調されたＩＤ情報を含む情報伝送信号を入力し、光素子光源２３を駆動して可視光を投光すると共に、情報伝送信号をその可視光に重畳させる。光素子光源２３は液晶パネル２４のバックライトとして機能するため、液晶ディスプレイ装置２５が表示動作を行なう間、ＩＤ情報を重畳した可視光が液晶パネル２４の前方に照射される。
【００９４】
利用者が、携帯端末４０を翳して液晶ディスプレイ装置２５の前に移動すると、携帯端末４０に接続された空間光受信器３０の受光部３１は、空間光送信器２０を内蔵した液晶ディスプレイ装置２５の光素子光源２３から照射される、ディスプレイのバックライトとしての可視光を受光する。
【００９５】
このとき、空間光受信器３０の受光部３１の受光回路３３は、図８の説明と同様に、受光素子３２から出力される微弱な受光信号をアンプで増幅した後、コンパレータを通して、復調に必要なレベルのパルス信号に変換し、波形整形回路を通して波形整形した後、マイクロコンピュータ３７の復調部３４に出力する。
【００９６】
復調部３４は、ＰＰＭ変調された伝送信号の復調を行い、４値のパルスの位置に基づき、伝送信号をデジタル信号に変換し、受信した空間光送信器１のＩＤ情報を、記憶部３６に記憶すると共に、ＵＳＢコントローラ３８及びＵＳＢポート３９を通して携帯端末４０に出力する。
【００９７】
或いは、図１２に示す空間光受信器６０が、受光部６１により受光した受光信号を受光回路６３で増幅し、増幅したＩＤ情報を含む受光信号を、出力端子６４、マイク入力端子４９を通して携帯端末４０に送出する。
【００９８】
携帯端末４０は、空間光受信器３０、６０から、空間光により送信されたＩＤ情報を入力し、或いは受光信号を復調してＩＤ情報を取得すると、そのＩＤ情報に対応したコンテンツ情報を記憶部５０から読み出し、若しくはコンテンツサーバ４２にアクセスしてコンテンツ情報を取得し、携帯端末４０のディスプレイ５７にコンテンツを表示し、その音声を再生する。
【００９９】
また、携帯端末４０は、ＩＤ情報に対応したコンテンツ情報がコンテンツ参照情報ＵＲＬの場合には、当該ＵＲＬに基づき別の被参照サーバにアクセスしてコンテンツ情報を取得し、コンテンツ画像等を端末のディスプレイ５７に表示すると共に、その音声信号をオーディオ回路４６により再生して、イヤホン型のスピーカー５２から音声を出力する。これにより、携帯端末４０の利用者は、例えば、液晶ディスプレイ装置２５の表示する画面に関係した解説や案内（音声ガイド）などを、携帯端末４０を通して見聞きすることができる。
【符号の説明】
【０１００】
１      空間光送信器
１ａ    本体ケース
２      投光部
３      投光素子
５      投光駆動回路
６      副搬送波発振器
７      伝送信号生成部
８      ＩＤ情報記憶部
１０    マイクロコンピュータ
１１    電源回路
１２    口金部
１３    シェル部
１４    アイレット部
１５    絶縁体
１６    上ケース
１７    下ケース
１８    回路基板
１９    反射器
２０    空間光送信器
２３    光素子光源
２４    液晶パネル
２５    液晶ディスプレイ装置
３０    空間光受信器
３１    受光部
３２    受光素子
３３    受光回路
３４    復調部
３５    デジタル処理部
３６    記憶部
３７    マイクロコンピュータ
３８    ＵＳＢコントローラ
３９    ＵＳＢポート
４０    携帯端末
４１    管理用コンピュータ
４２    コンテンツサーバ
４３    無線ＬＡＮ
４４    ＵＳＢコントローラ
４５    ＵＳＢポート
４６    オーディオ回路
４７    サンプリング回路
４８    プロセッサ
４９    マイク入力端子
５０    記憶部
５１    マイク
５２    スピーカー
５３    周辺インターフェイス
５４    ＲＦ回路
５６    ディスプレイコントローラ
５７    タッチ感知ディスプレイ
６０    空間光受信器
６１    受光部
６２    受光素子
６３    受光回路
６４    出力端子
【図１】
2014027643.tif 000003
【図２】
2014027643.tif 000004
【図３】
2014027643.tif 000005
【図４】
2014027643.tif 000006
【図５】
2014027643.tif 000007
【図６】
2014027643.tif 000008
【図７】
2014027643.tif 000009
【図８】
2014027643.tif 000010
【図９】
2014027643.tif 000011
【図１０】
2014027643.tif 000012
【図１１】
2014027643.tif 000013
【図１２】
2014027643.tif 000014
【図１３】
2014027643.tif 000015